(57)【要約】【課題】光量調整装置において、開放状態から最小絞り状態への遷移に必要な時間を短縮する。【解決手段】本発明の光量調整装置は、光軸が通過する貫通孔である開口を有する固定枠部材と、前記固定枠部材に対して相対的に前記光軸周りに回転可能な環状の回転駆動部材と、前記回転駆動部材に形成された複数のカム溝と、前記光軸の周囲において、前記固定枠部材に設けられた前記光軸と平行な軸周りに回転可能に配設され、それぞれに前記カム溝と係合する被駆動ピンが設けられた複数の羽根部材と、前記回転駆動部材を回転駆動するステッピングモータと、を備え、前記複数の羽根部材のそれぞれの縁部により形成される開口の口径を変更可能であって、前記回転駆動部材の回転角度とＡＶ値の変化量との関係が、前記回転角度が前記ＡＶ値が大きくなる方向に増すに従って傾きが増すように、前記カム溝の形状が定められている。【選択図】図１１
2015079199.tif 000002
【特許請求の範囲】
【請求項１】
光軸が通過する貫通孔である開口を有する固定枠部材と、
前記固定枠部材に対して相対的に前記光軸周りに回転可能な環状の回転駆動部材と、
前記回転駆動部材に形成された複数のカム溝と、
前記光軸の周囲において、前記固定枠部材に設けられた前記光軸と平行な軸周りに回転可能に配設され、それぞれに前記カム溝と係合する被駆動ピンが設けられた複数の羽根部材と、
前記回転駆動部材を回転駆動するステッピングモータと、
を備え、前記複数の羽根部材のそれぞれの縁部により形成される開口の口径を変更可能な光量調整装置であって、
前記回転駆動部材の回転角度とＡＶ値の変化量との関係が、前記回転角度が前記ＡＶ値が大きくなる方向に増すに従って傾きが増すように、前記カム溝の形状が定められていることを特徴とする光量調整装置。
【請求項２】
前記回転角度と前記ＡＶ値の変化量との関係は、高次曲線に沿うことを特徴とする請求項１に記載の光量調整装置。
【請求項３】
前記回転角度と前記ＡＶ値の変化量との関係は、２次曲線に沿うことを特徴とする請求項２に記載の光量調整装置。
【発明の詳細な説明】
【技術分野】
【０００１】
本発明は、複数の羽根部材を用いて開口の口径を変化させることによって当該開口を通過する光量の調整を行う光量調整装置に関する。
【背景技術】
【０００２】
スチルカメラやビデオカメラ等の撮像装置に備えられるレンズ装置には、光量調整を行うために、光束が通過する光路上に、いわゆる絞り装置などと呼ばれる光量調整装置を具備したものがある。
【０００３】
光量調整装置としては、例えば特開２０１１−１０７５８４号公報に開示されているように、光軸の周囲に配設された複数の羽根部材を、光軸に平行な軸周りに回動させて開口の口径を変化させる構成が知られている。
【０００４】
特開２０１１−１０７５８４号公報に開示されている光量調整装置では、羽根部材を駆動する動力を発生するステッピングモータの回転角度と、絞り値の変化が非線形の関係にあり、絞り込むほどステッピングモータの単位回転角度に対する絞り値の変化量が小さくなる。
【先行技術文献】
【特許文献】
【０００５】
【特許文献１】特開２０１１−１０７５８４号公報
【発明の概要】
【発明が解決しようとする課題】
【０００６】
静止画を撮影する撮像装置では、１秒あたりの連続撮影枚数を増やすことが求められることがある。このため、光量調整装置においては、開放状態から最小絞り状態に至るまでにかかる所要時間を短縮することが望まれる。
【０００７】
本発明は、上述した点に鑑みてなされたものであって、光量調整装置において、開放状態から最小絞り状態への遷移に必要な時間を短縮することを目的とする。
【課題を解決するための手段】
【０００８】
本発明の一態様の光量調整装置は、光軸が通過する貫通孔である開口を有する固定枠部材と、前記固定枠部材に対して相対的に前記光軸周りに回転可能な環状の回転駆動部材と、前記回転駆動部材に形成された複数のカム溝と、前記光軸の周囲において、前記固定枠部材に設けられた前記光軸と平行な軸周りに回転可能に配設され、それぞれに前記カム溝と係合する被駆動ピンが設けられた複数の羽根部材と、前記回転駆動部材を回転駆動するステッピングモータと、を備え、前記複数の羽根部材のそれぞれの縁部により形成される開口の口径を変更可能な光量調整装置であって、前記回転駆動部材の回転角度とＡＶ値の変化量との関係が、前記回転角度が前記ＡＶ値が大きくなる方向に増すに従って傾きが増すように、前記カム溝の形状が定められている。
【発明の効果】
【０００９】
本発明によれば、光量調整装置において、開放状態から最小絞り状態への遷移に必要な時間を短縮することができる。
【図面の簡単な説明】
【００１０】
【図１】光量調整装置の斜視図である。
【図２】光量調整装置の分解斜視図である。
【図３】図１の矢印［３］方向から見た図であって、光量調整装置の正面図である。
【図４】図３の符号［４］で示す領域）を拡大して示す部分拡大図である。
【図５】羽根部材の平面図である。
【図６】羽根部材の側面図である。
【図７】トーションバネの斜視図である。
【図８】開放状態における、羽根部材と回転駆動部材のみを示した図である。
【図９】最小絞り状態における、羽根部材と回転駆動部材のみを示した図である。
【図１０】回転駆動部材に対して固定された視点における、羽根部材と回転駆動部材との関係を示す部分拡大図である。
【図１１】回転駆動部材の回転角度と、絞り値の変化量との関係を示すグラフである。
【発明を実施するための形態】
【００１１】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１２】
まず、本発明の一実施形態の光量調整装置の概略構成を以下に説明する。図１は、本発明の一実施形態の光量調整装置の外観を示す斜視図である。図２は、図１の光量調整装置の分解斜視図である。図３は、図１の矢印［３］方向から見た図であって、当該光量調整装置の正面図である。図４は、図３の一部（符号［４］で示す領域）を拡大して示す部分拡大図である。
【００１３】
図１〜図３等に示すように、本実施形態の光量調整装置１０は、固定枠部材１１と、回転駆動部材１２と、複数の羽根部材１３と、蓋部材１４と、トーションバネ１５と、ステッピングモータ１６と、付勢バネ１８と、位置センサ２０等によって主に構成されている。
【００１４】
光量調整装置１０は、スチルカメラやビデオカメラ等の撮像装置のレンズ装置に備えられる、いわゆる絞り機構を構成するものである。光量調整装置１０は、レンズ装置内における光軸Ｌが通過する開口１０ａを有している。光量調整装置１０は、該開口１０ａの周囲に配設された光軸Ｌと平行な軸周りに回動可能な複数の羽根部材１３を備え、該複数の羽根部材１３を開口１０ａ内に進退させることによって、光軸Ｌに沿う光束が通過可能な口径を変化させる。
【００１５】
この光量調整装置１０の各構成部材のうち、固定枠部材１１は、本光量調整装置１０における基本構成部材である。固定枠部材１１は、全体が略円環形状に形成されており、その略中心部位に略円形状の開口１１ａを有して形成されている。
【００１６】
詳しくは、固定枠部材１１は、円環平面部１１ｐと、外周壁面１１ｍと、内周壁面１１ｎとによって形成されている。ここで、外周壁面１１ｍは円環平面部１１ｐの外周縁部を取り囲むように形成される壁状部である。内周壁面１１ｎは円環平面部１１ｐの内周縁部を取り囲むように形成される壁状部である。この構成により、当該固定枠部材１１は、円環平面部１１ｐと外周壁面１１ｍと内周壁面１１ｎとによって形成される内部空間部を備えた円環状筐体を形成している。そして、固定枠部材１１の内部空間部には、回転駆動部材１２及び複数の羽根部材１３が収納配置されている（詳細後述）。また、固定枠部材１１の円環平面部１１ｐに対向する部位は開口しており、この開口部位を覆うように蓋部材１４が配置されている。このように固定枠部材１１と蓋部材１４とによって本光量調整装置１０の筐体部が形成されている。
【００１７】
固定枠部材１１の円環平面部１１ｐの一側面であって、上記内部空間部の形成されている側とは反対側の外面側における所定の部位には、ステッピングモータ１６が複数（本例では２本）のビス１７によって固設されている。そのために、円環平面部１１ｐにおいてステッピングモータ１６の取り付け部位近傍には、複数（本例では２つ）のビス孔１１ｄが穿設されている。
【００１８】
ステッピングモータ１６は、回転駆動部材１２を所定のタイミングで所定の回転方向へ所定量だけ回転駆動させるための電動アクチュエータである。本願では一例として、ステッピングモータ１６は、回転する駆動軸を有する。ステッピングモータ１６の駆動軸は、固定枠部材１１の円環平面部１１ｐの所定部位に穿設された貫通孔１１ｆに貫通配置されている。ステッピングモータ１６の駆動軸の先端側にはピニオンギアー１６ａが固設されている。このピニオンギアー１６ａは、回転駆動部材１２のセクタギアー１２ｄに噛合している。この構成により、ステッピングモータ１６の回転駆動力は、駆動軸、ピニオンギアー１６ａ、及びセクタギアー１２ｄを介して回転駆動部材１２に伝達される。この回転駆動力を受けて、回転駆動部材１２は所定方向に所定量だけ回転駆動するように構成されている。
【００１９】
回転駆動部材１２は、ステッピングモータ１６の駆動力を受けて複数の羽根部材１３を駆動させるために設けられる羽根駆動部材である。回転駆動部材１２は、全体が上記固定枠部材１１よりもやや小径の略円環形状に形成されており、その略中心部位に略円形状の開口１２ａを有して形成されている。回転駆動部材１２は、上記固定枠部材１１の内部空間部において、同固定枠部材１１に対して回動自在となるように配設されている。
【００２０】
上記回転駆動部材１２の外周縁部の一部位にはセクタギアー１２ｄが形成されている。このセクタギアー１２ｄには、上述したように、上記ステッピングモータ１６のピニオンギアー１６ａが噛合している。
【００２１】
また、上記回転駆動部材１２の外周縁部近傍の一部位には、付勢バネ１８の一端を係止するコイルバネ係止部Ａ１２ｂが形成されている。コイルバネ係止部Ａ１２ｂは、回転駆動部材１２の径方向に対して略直交する方向に向けて突出するように形成される軸上部位である。このコイルバネ係止部Ａ１２ｂの先端部は、上記付勢バネ１８の一端を係止し得るように略フック状に形成されている。
【００２２】
これに対応させて、上記固定枠部材１１の円環平面部１１ｐにおける所定の部位には、径方向に沿って所定の長さを有する貫通溝部１１ｂが形成されている。これにより、回転駆動部材１２を上記固定枠部材１１の内部空間部の所定部位に収納したとき、コイルバネ係止部Ａ１２ｂは、上記貫通溝部１１ｂを貫通して、固定枠部材１１の外面側（円環平面部１１ｐの一側面側）に突出して配置される。そして、この状態において、回転駆動部材１２が上記ステッピングモータ１６の駆動力を受けて回動すると、コイルバネ係止部Ａ１２ｂは、上記貫通溝部１１ｂに沿って移動するように構成されている。
【００２３】
一方、上記固定枠部材１１の外面側（円環平面部１１ｐの一側面側）において、上記貫通溝部１１ｂの近傍には、上記コイルバネ係止部Ａ１２ｂと同一方向に向けて突設されるコイルバネ係止部Ｂ１１ｃが形成されている。このコイルバネ係止部Ｂ１１ｃの先端部は、上記付勢バネ１８の他端を係止し得るように略フック状に形成されている。そして、このコイルバネ係止部Ｂ１１ｃに上記付勢バネ１８の他端が係止されている。
【００２４】
上述したように、上記コイルバネ係止部Ａ１２ｂには、例えば緊縮性のコイルバネ等の付勢部材である付勢バネ１８の一端が係止されている。この構成により、固定枠部材１１に対して回動自在に配設されている回転駆動部材１２は、付勢バネ１８によって常に一方の回動方向に向けて付勢されている。この場合において、付勢バネ１８による回転駆動部材１２の付勢方向としては、例えば回転駆動部材１２の回動により駆動される複数の羽根部材１３が光路径を狭める方向（閉方向という）である。また、この例とは別に、付勢バネ１８による回転駆動部材１２の付勢方向として、同光路径を開放状態とする方向（開方向という）としてもよい。
【００２５】
他方、回転駆動部材１２の円環形状を成す平面部位には、所定のカム曲線を備えた複数のカム溝１２ｃが形成されている。これら複数のカム溝１２ｃには、複数の羽根部材１３の被駆動ピン１３ｃ（後述）がカム嵌合している。すなわち、これら複数のカム溝１２ｃは、複数の羽根部材１３をそれぞれ駆動する駆動部となっている。したがって、複数のカム溝１２ｃは、複数の羽根部材１３と同数形成されている。本実施形態においては、羽根部材１３は７枚配設した例を示している。したがって、本例においては、カム溝１２ｃは７つ形成されている。
【００２６】
複数の羽根部材１３は、互いに重ね合わせて配置することで略円形状の開口を形成し、それぞれが所定の移動を行うことによって、開口の口径を変化させ、通過する光量の調整を行うための遮光部材である。複数の羽根部材１３のそれぞれは、例えば薄板状シート部材等によって構成されている。上述したように、本実施形態においては、７枚の羽根部材１３によって構成した例を示している。
【００２７】
複数の羽根部材１３のそれぞれは、各基部を回動中心として回動可能となるように固定枠部材１１の支軸（図１、図２では不図示）において回動自在に軸支された状態で上記内部空間部に収納配置されている。このとき、複数の羽根部材１３のそれぞれの上記被駆動ピン１３ｃが回転駆動部材１２の上記複数のカム溝１２ｃのそれぞれにカム嵌合している。
【００２８】
このように固定枠部材１１の内部空間に回転駆動部材１２と複数の羽根部材１３等を収納配置した状態で、固定枠部材１１の開口部位は、蓋部材１４によって覆われている。この場合において、固定枠部材１１と蓋部材１４とは、例えば複数のビス１９等によって締結固定されている。
【００２９】
蓋部材１４は、上記固定枠部材１１と略同径の略円環形状に形成されており、その略中心部位に円形開口１４ａを有して形成されている。そして、蓋部材１４は、固定枠部材１１の開口部位を覆うと共に、該固定枠部材１１の内部空間に収納された部材（回転駆動部材１２及び複数の羽根部材１３等）が脱落しないように抑える抑え部材としての役目をしている。
【００３０】
蓋部材１４の内面側（固定枠部材１１の内部空間に向く面）には、内部空間に収納された各羽根部材１３の各被駆動ピン１３ｃ（後述）がそれぞれ係合し、その（羽根部材１３の被駆動ピン１３ｃの）移動をガイドする有底溝１４ｂが形成されている。また、蓋部材１４には、内部空間に収納された各羽根部材１３の回動中心となる基端部近傍をそれぞれ露呈させるための複数の切欠部１４ｃが（羽根部材１３と同数）形成されている。
【００３１】
さらに、蓋部材１４の上記切欠部１４ｃの各近傍には、トーションバネ１５の一腕１５ｂ（後述する；図４参照）を引掛けるトーションバネ係止部Ａ１４ｄと、トーションバネ１５の本体部１５ｃを巻装保持するバネ支軸１４ｅとが設けられている（図１，図２では不図示。図３，図４参照）。上記トーションバネ係止部Ａ１４ｄ及び上記バネ支軸１４ｅは、蓋部材１４の円環形状をなす平面部の外面側から外方に向けて突出して形成されている。上記トーションバネ係止部Ａ１４ｄの先端部は、トーションバネ１５の一腕１５ｂを係止し得るように略フック状に形成されている。そして、このトーションバネ係止部Ａ１４ｄには上記トーションバネ１５の一腕１５ｂが係止されている。また、上記バネ支軸１４ｅの先端部は、上記トーションバネ１５の本体部１５ｃが抜け落ちないように略フック状に形成されている。
【００３２】
トーションバネ１５は、複数の羽根部材１３による口径を閉じる方向若しくは開く方向となるように上記羽根部材１３を常に一方向へと付勢する付勢部材である。本実施形態においては、上記トーションバネ１５の付勢力の方向は、羽根部材１３を閉じ方向とするように設定されているものとする。
【００３３】
ここで、トーションバネ１５自体の詳細構成を、図７を用いて説明する。図７は、本実施形態の光量調整装置１０に適用されるトーションバネ１５を拡大して示す拡大斜視図である。
【００３４】
トーションバネ１５は、コイル状に巻回された本体部１５ｃと、この本体部１５ｃの一端から延出する一腕１５ｂと、同本体部１５ｃの他端から延出する他腕１５ａとを有して形成されている。このトーションバネ１５は、ねじり方向の付勢力を利用する付勢部材である。トーションバネ１５は、複数の羽根部材１３のそれぞれに対応して一つずつ設けられている。
【００３５】
図４に拡大して示すように、トーションバネ１５の本体部１５ｃは、バネ支軸１４ｅに巻回されている。バネ支軸１４ｅは、羽根部材１３を回動可能に軸支する固定枠部材１１に設けられた支軸と略同軸上に配置されている。トーションバネ１５の一腕１５ｂは、蓋部材１４のトーションバネ係止部Ａ１４ｄに係止され、他腕１５ａは、羽根部材１３に設けられたトーションバネ係止部Ｂ１３ｅに係止されている。
【００３６】
また、本実施形態の光量調整装置１０においては、回転駆動部材１２の位置を検出する位置センサ２０を有している。位置センサ２０は、例えばフォトインタラプタ(Photointerrupter)等が適用される。位置センサ２０は、固定枠部材１１と蓋部材１４とを合わせた形態の筐体部の内部における所定の部位、すなわち図２の符号１４ｆで示される凹状部内に配置して接着などの手段を用いて該筐体部に固設されている。これに対応させて、回転駆動部材１２の外周縁部には、上記位置センサ２０に作用する遮光羽根部１２ｅが形成されている。そして、この遮光羽根部１２ｅが上記位置センサ２０の送受光部の間を通過し得るように構成されている。
【００３７】
図５，図６は、本実施形態の光量調整装置１０に適用される羽根部材１３を拡大して示す図である。このうち図５は羽根部材１３の平面図である。図６は羽根部材１３の側面図である。
【００３８】
図示のように、羽根部材１３は、上述したように、例えば薄板状シート部材等によって形成される遮光部材である。羽根部材１３は、略三日月状（lunate）に形成され当該羽根部材１３の主要部である主羽根部１３ａと、回転駆動部材１２のカム溝１２ｃにカム嵌合して当該羽根部材１３を駆動させる被駆動ピン１３ｃと、トーションバネ１５の他腕１５ａを係止するトーションバネ係止部Ｂ１３ｅと、固定枠部材１１の支軸が貫通する貫通孔１３ｄを有する支持部１３ｈ等を有して構成されている。
【００３９】
このように構成される複数の羽根部材１３は、固定枠部材１１に設けられた複数の支軸のそれぞれによって回動自在に軸支されている。この構成を具体的に説明すると、次のようになる。すなわち、上記支軸は、例えば固定枠部材１１の円環平面部１１ｐの他側面側（内部空間部の内側面）において、上記複数の羽根部材１３のそれぞれに対応する数だけ（本実施形態では７本）、径方向に所定間隔をおいて全周に亘って植設されている。
【００４０】
そして、上記複数の支軸のそれぞれに対して、各羽根部材１３の基部に設けられる支持部１３ｈの貫通孔１３ｄがそれぞれ挿通している。これによって、羽根部材１３は、当該支軸１１ｅを中心軸として回動可能に軸支されている。そして、このとき、羽根部材１３は、固定枠部材１１の内部空間部に収納配置されている状態にある。したがって、羽根部材１３は、固定枠部材１１の内部空間部において所定の範囲内で回動可能に収納配置されている。
【００４１】
図８は、光量調整装置１０において通過光量を最も大きくした状態（開放状態）の、羽根部材１３と回転駆動部材１２のみを示した図である。図９は、光量調整装置１０において通過光量を最も小さくした状態（最小絞り状態）の、羽根部材１３と回転駆動部材１２のみを示した図である。また、図１０は、回転駆動部材１２に対して固定された視点における、羽根部材１３と回転駆動部材１２との関係を示すための拡大図である。
【００４２】
図１０に示すように、回転駆動部材１２と固定枠部材１１とが光軸Ｌ周りに相対的に回動すれば、カム溝１２ｃと被駆動ピン１３ｃとの係合によって、羽根部材１３は固定枠部材１１に設けられた支軸周りに回動する。羽根部材１３の支軸は光軸Ｌに平行であり、羽根部材１３が支軸周りに回動することによって、主羽根部１３ａは、光軸Ｌに近づく又は遠ざかるように移動する。そして、光量調整装置１０では、開口１０ａの周囲に配設された複数の絞り羽根１３の主羽根部１３ａの縁部１３ｉによって、光束が通過可能な開口の形状が定められる。
【００４３】
図９に示すように、ステッピングモータ１６によって、回転駆動部材１２が固定枠部材１１に対して光軸Ｌ周りに相対的に閉方向（図９中矢印Ｃで示す方向）に駆動された場合には、複数の羽根部材１３は、主羽根部１３ａが光軸Ｌに近づく方向に回動し、光束が通過可能な開口の面積が狭くなる。
【００４４】
また、図８に示すように、ステッピングモータ１６によって、回転駆動部材１２が固定枠部材１１に対して光軸Ｌ周りに相対的に閉方向とは反対方向である開方向（図８中矢印Ｏで示す方向）に駆動された場合には、複数の羽根部材１３は、主羽根部１３ａが光軸Ｌから遠ざかる方向に回動し、光束が通過可能な開口の面積が広くなる。
【００４５】
図１１は、光量調整装置１０における、回転駆動部材１２の回転角度と、光束が通過可能な開口の面積との関係を示すグラフである。図１１において、横軸は回転駆動部材１２の回転角度Ｒを示し、縦軸はＡＶ値を示している。横軸において、０は光量調整装置１０において開口の面積が最も広くなるいわゆる開放状態であり、横軸を右に行くほど、回転駆動部材１２の閉方向への回転角度が大きくなる。縦軸に関して、縦軸と横軸との交点を開放状態のＡＶ値とする。ＡＶ値が大きくなるほど、すなわち縦軸を上に行くほど光量調整装置１０の開口の面積が狭くなる。
【００４６】
図１１に示すように、本実施形態の光量調整装置１０においては、回転駆動部材１２の回転角度ＲとＡＶ値との関係が直線の関係に無く、回転角度Ｒが増すほど、ＡＶ値の変化量が大きくなる。すなわち、回転駆動部材１２の回転角度ＲとＡＶ値との関係を示す線が、直線ではなく、回転角度Ｒが大きくなるほど曲線の傾きが大きくなる、下に凸の曲線である。
【００４７】
本実施形態では、回転駆動部材１２は、ステッピングモータ１６によって回転駆動される構成であることから、ステッピングモータ１６の最小の駆動単位角度（１ステップ）あたりのＡＶ値の変化量が、一定ではなく、ＡＶ値が大きくなるほど（絞り込むほど）ステッピングモータ１６の最小の駆動単位角度あたりのＡＶ値の変化量が大きくなる。さらに言い換えるならば、ステッピングモータ１６を駆動する最短の信号である１パルスあたりのＡＶ値の変化量が、ＡＶ値が大きくなるほど（絞り込むほど）大きくなる。
【００４８】
より具体的には、図１１に示す本実施形態において、回転駆動部材１２の回転角度ＲとＡＶ値との関係は、２次関数によって表現される。なお、光量調整装置１０を有するレンズ装置の開放Ｆ値からの回転駆動部材１２の回転角度ＲとＡＶ値との関係は、回転角度Ｒが大きくなるほど傾きが大きくなる関係であればよく、３次以上の高次曲線の関係であってもよい。
【００４９】
以上説明したように本実施形態の光量調整装置１０では、ＡＶ値が大きくなるほど、すなわち最小絞り状態に近いほど、ステッピングモータ１６の最小の駆動単位角度あたりのＡＶ値の変化量が大きくなる。このため、開放状態から最小絞り状態への遷移に必要な、ステッピングモータ１６の回転角度を減らすことができ、開放状態から最小絞り状態への遷移に要する時間を短縮することができる。
【００５０】
なお、本発明は、上述した実施形態に限られるものではなく、請求の範囲及び明細書全体から読み取れる発明の要旨或いは思想に反しない範囲で適宜変更可能であり、そのような変更を伴う光量調整装置もまた本発明の技術的範囲に含まれるものである。
【００５１】
本発明に係る光量調整装置は、いわゆるスチルカメラに備えられる形態に限らず、ビデオカメラ、携帯通信端末等の撮像機能を備えた電子機器に備えられる形態であってもよいことは言うまでもない。
【符号の説明】
【００５２】
１０    光量調整装置、
１０ａ    開口、
１１    固定枠部材、
１１ａ    開口、
１１ｂ    貫通溝部、
１１ｄ    ビス孔、
１１ｃ    コイルバネ係止部、
１１ｆ    貫通孔、
１１ｍ    外周壁面、
１１ｎ    内周壁面、
１１ｐ    円環平面部、
１２    回転駆動部材、
１２ｂ    コイルバネ係止部Ａ、
１２ｃ    カム溝、
１２ｄ    セクタギアー、
１２ｅ    遮光羽根部、
１３    羽根部材、
１３ａ    主羽根部、
１３ｃ    被駆動ピン、
１３ｄ    貫通孔、
１３ｅ    トーションバネ係止部、
１３ｈ    支持部、
１３ｉ    縁部、
１４    蓋部材、
１４ａ    開口、
１４ｂ    有底溝、
１４ｃ    切欠部、
１４ｄ    トーションバネ係止部Ａ、
１４ｅ    バネ支軸、
１５    トーションバネ、
１５ａ    他腕、
１５ｂ    一腕、
１５ｃ    本体部、
１６    ステッピングモータ、
１６ａ    ピニオンギアー、
１７    ビス、
１８    付勢バネ、
１９    ビス、
２０    位置センサ、
Ｌ    光軸。
【図１】
2015079199.tif 000003
【図２】
2015079199.tif 000004
【図３】
2015079199.tif 000005
【図４】
2015079199.tif 000006
【図５】
2015079199.tif 000007
【図６】
2015079199.tif 000008
【図７】
2015079199.tif 000009
【図８】
2015079199.tif 000010
【図９】
2015079199.tif 000011
【図１０】
2015079199.tif 000012
【図１１】
2015079199.tif 000013